(57)【要約】      （修正有）【課題】同じ部材で天井板に設けられた開口を入出線口として用いる場合、自然換気をする場合、強制換気をする場合等、いろいろな方法を選択できるラックの構造を提供する。【解決手段】天井板2の略中央部には開口7を設けると共に、天井板の背面側に放熱孔8を設け、天井板はカバー9で被覆可能であり、カバーは開口に対向する部分はパンチング加工が施され、放熱孔に対向する部分はスリット加工等放熱可能とする一方、反対側は切り欠き11を設け、カバーをスリット部分を放熱孔に対向させて取り付けると、放熱孔は放熱のために使用でき、また、切り欠きを放熱孔に対向させて取り付けると、放熱孔は通線孔として使用可能となる。【選択図】図２
2007287958.tif 000002
【特許請求の範囲】
【請求項１】
各種通信機器を収納するラックの構造であって、天井板の略中央部には開口を設けると共に、前記天井板の背面側に放熱孔を設け、前記天井板はカバーで被覆可能であり、前記カバーは前記開口に対向する部分はパンチング加工が施され、前記放熱孔に対向する部分はスリット加工等放熱可能とする一方、反対側は切り欠きを設け、前記カバーを前記スリット部分を前記放熱孔に対向させて取り付けると、放熱孔は放熱のために使用でき、また、前記切り欠きを前記放熱孔に対向させて取り付けると、前記放熱孔は通線孔として使用可能となることを特徴とするラックの構造。
【発明の詳細な説明】
【技術分野】
【０００１】
本発明は、各種通信機器を収納するラックの構造に関するものである。
【背景技術】
【０００２】
ラック３１に取り付けて用いられる通信機器は、機器前面から給気し、背面へ排気する構造のものが多い。ファンを取り付ける等の放熱対策の無いラック３１に収納した場合、ラックの上部、特に背面側に熱がたまりやすく、通信機器に悪影響を及ぼす虞があった。
【０００３】
ラック３１に放熱対策を施すことがあった。ラック３１の天井板３２に開口３３を設け、開口３３をカバー３４で塞ぐ方法があった。カバー３４に通気孔を設けたり、カバー３４を用いずファン等の強制換気機器を取り付けたりして、ラック内の空気の排出を可能とし、放熱できるようにした。
【非特許文献１】カワムララックカタログＮｏ．９  ２００５年８月１日発行
【発明の開示】
【発明が解決しようとする課題】
【０００４】
しかしながら、上記ラックの構造では、ラックが完成した状態での開口加工は困難であるので、開口を設けた天井板を用い、開口にカバーを取り付けることで、通気孔を設けて自然排熱したり、ファンを設置して強制換気をしたり選択できるようにしていたが、ファンの使用はコストが掛かり、安価にラックを提供することが難しかった。
【０００５】
また、天井からラック内部へ配線する場合には、開口にカバーを取り付けずに開口を入出線口として用いるが、その場合、開口を塞いでいたカバーが無駄となり、廃材の処理または保管が必要となっていた。
【課題を解決するための手段】
【０００６】
そこで本発明は、同じ部材で天井板に設けられた開口を入出線口として用いる場合、自然換気をする場合、強制換気をする場合等、いろいろな方法を選択できるラックの構造を提供することを目的とし、その構造は、天井板の略中央部には開口を設けると共に、天井板の背面側に放熱孔を設け、天井板はカバーで被覆可能であり、カバーは開口に対向する部分はパンチング加工が施され、放熱孔に対向する部分はスリット加工等放熱可能とする一方、反対側は切り欠きを設け、カバーをスリット部分を放熱孔に対向させて取り付けると、放熱孔は放熱のために使用でき、また、切り欠きを放熱孔に対向させて取り付けると、放熱孔は通線孔として使用可能となることを特徴とする。
【発明の効果】
【０００７】
本発明に係るラックの構造は、天井板の略中央部には開口を設けると共に、天井板の背面側に放熱孔を設け、天井板はカバーで被覆可能であり、カバーは開口に対向する部分はパンチング加工が施され、放熱孔に対向する部分はスリット加工等放熱可能とする一方、反対側は切り欠きを設け、カバーをスリット部分を放熱孔に対向させて取り付けると、放熱孔は放熱のために使用でき、また、切り欠きを放熱孔に対向させて取り付けると、放熱孔は通線孔として使用可能となるため、ラックの排熱性が向上し、強制換気装置も必要なく、ひとつのカバーで天井板に通気孔と通線孔とを設けることができるため、製造コストを抑えることができる。また、カバーが不要になることはないので、廃材を処理したり保管したりという手間がない。
【発明を実施するための最良の形態】
【０００８】
排熱性を向上させ、入出線孔も設けることができるという目的を、別の部材を用いることなく同じ天井板で実現した。
【実施例１】
【０００９】
本発明に係るラックの構造を図１〜図３の添付図面に基づいて説明する。
【００１０】
通信機器を収納するラック１は、上面に天井板２を、下面に底板３を、側面に側面板４または扉体５を取り付けて構成される。通信機器は、ラック１内部に設けられているマウントアングル６にねじ止め等により固定する。ラック１の天井板２の略中央に開口７を設ける。さらに、ラック１の天井板２の背面側に放熱孔８を設ける。
【００１１】
ラック１の天井板２にはカバー９が取り付け可能である。カバー９は、天井板２に設けた開口７に対向する位置にはパンチング加工を施す。また、放熱孔８に対向する部分にはスリット加工を施す。従来熱のたまりやすかったラック１の背面側上部にスリット１０が設けられ放熱できるので、温度上昇が抑えられる。従来のラックに比べて熱のたまりやすかったラック１の背面側上部まで、開口を広げると、天井の強度が損なわれたり、カバー９を取り付けるためのスペースが確保できなかったりするので、開口７とは別に放熱孔８を設けた。カバー９にはパンチング加工やスリット加工を施し、放熱しやすいようにしたため、ファン等の強制換気装置を設置しなくてもラック内部に熱がたまりにくくなる。
【００１２】
また、スリット１０を設けた部分の反対側の端部には切り欠き１１を設ける。ラック１の天井板２にカバー９を取り付けるとき、スリット１０を放熱孔８に対向させ、ねじ等により固定すると、ラック１の背面上部から放熱が可能となる。また、放熱孔８に切り欠き１１を対向させ、ねじ等により固定すると、放熱孔８を通線孔として使用できる。従来は通線孔を天井板２に設けたい場合には、カバー９をせず、開口７を開放し開口７で入出線していたが、ラック１への塵埃の侵入のため別の部材を用いたりして塵埃侵入の対策を施さなくてはいけなかった。本発明では、放熱孔８を開口７とは別に縮小して設けているので、塵埃の侵入も少なくできる。
【００１３】
本発明のラック１の構造において、ラック１の天井板２を施蓋するカバー９の取り替えなく取り付け方向を変更することで放熱孔８を放熱のために用いるだけでなく、通線孔としても使用できる。通線孔として使用する場合にカバー９が不要にならないので廃材の処理や保管の手間がない。
【産業上の利用可能性】
【００１４】
ラックの天井に取り付けるカバーにパンチング加工した放熱口とスリット加工した放熱孔とを形成し、放熱孔とは反対側の端部には切り欠きを設けてラックの天井に設けられた放熱孔に対向させて取り付けることで放熱孔を通線孔として使用可能となる。
【図面の簡単な説明】
【００１５】
【図１】本発明に係るラックの構造を示す説明図である。（実施例１）
【図２】本発明に係るラックの構造を示す説明図である。（実施例１）
【図３】本発明に係るラックの構造を示す説明図である。（実施例１）
【図４】従来のラックの構造を示す説明図である。
【符号の説明】
【００１６】
１    ラック
２    天井板
３    底板
４    側面板
５    扉体
６    マウントアングル
７    開口
８    放熱孔
９    カバー
１０  スリット
１１  切り欠き
【図１】
2007287958.tif 000003
【図２】
2007287958.tif 000004
【図３】
2007287958.tif 000005
【図４】
2007287958.tif 000006